(57)【要約】【課題】  レイアウトを自動生成する編集装置において、自動配置される素材と固定位置に配置される素材を組み合わせて指定でき、そこで生成された複数のレイアウトのうち、有効な好ましいレイアウトのみを提示する事で、デザインや配色などに特別な知識を有しない使用者でも使いやすい編集装置を提供すること。【解決手段】  レイアウトを生成するための編集装置であって、レイアウト対象の素材を格納する第一の記憶手段と、前記レイアウト対象の素材を自動配置するのか、固定位置に配置するのかの属性情報を格納する第二の記憶手段と、レイアウトを生成するための規則であるデザインルールを格納した第三の記憶手段と、前記属性情報および前記デザインルールをもとに、前記レイアウト対象の素材の配置を決定するレイアウト生成手段とを備える事を特徴とする。【選択図】  図１
2008147851.tif 000002
【特許請求の範囲】
【請求項１】
レイアウトを生成するための編集装置であって、
レイアウト対象の素材を格納する第一の記憶手段と、
前記レイアウト対象の素材を自動配置するのか、固定位置に配置するのかの属性情報を格納する第二の記憶手段と、
レイアウトを生成するための規則であるデザインルールを格納した第三の記憶手段と、
前記属性情報および前記デザインルールをもとに、前記レイアウト対象の素材の配置を決定するレイアウト生成手段とを有する事を特徴とする編集装置。
【請求項２】
前記属性情報を指定するための指定手段を有する事を特徴とする請求項１に記載の編集装置。
【請求項３】
前記属性情報は、前記レイアウト対象の素材を自動配置するのか、固定位置に配置するのかの他に、
前記レイアウト対象の素材の種別、レイヤ情報、文字・図形・写真の区別、位置、大きさ、色、文字フォントのいずれか１つ、または複数の情報を含む事を特徴とする請求項１に記載の編集装置。
【請求項４】
前記レイアウト対象の素材の種別は、主題、副題、背景、ロゴのいずれか１つである事を特徴とする請求項３に記載の編集装置。
【請求項５】
レイアウトを生成するための編集方法であって、
レイアウト対象の素材を格納する第一の記憶工程と、
前記レイアウト対象の素材を自動配置するのか、固定位置に配置するのかの属性情報を格納する第二の記憶工程と、
レイアウトを生成するための規則であるデザインルールを格納した第三の記憶手段と、
前記属性情報および前記デザインルールをもとに、前記レイアウト対象の素材の配置を決定するレイアウト生成工程とを有する事を特徴とする編集方法。
【請求項６】
前記属性情報を指定するための指定工程を有する事を特徴とする請求項５に記載の編集方法。
【請求項７】
前記属性情報は、前記レイアウト対象の素材を自動配置するのか、固定位置に配置するのかの他に、
前記レイアウト対象の素材の種別、レイヤ情報、文字・図形・写真の区別、位置、大きさ、色、文字フォントのいずれか１つ、または複数の情報を含む事を特徴とする請求項５に記載の編集方法。
【請求項８】
前記レイアウト対象の素材の種別は、主題、副題、背景、ロゴのいずれか１つである事を特徴とする請求項７に記載の編集方法。
【請求項９】
請求項５〜８の編集方法のいずれかをコンピュータに実行させる事を特徴とする編集プログラム。
【発明の詳細な説明】
【技術分野】
【０００１】
本発明は、情報処理装置、印刷装置から成るレイアウトの編集装置および編集方法および編集プログラムに関するものである。
【背景技術】
【０００２】
近年、パソコンなどの情報処理装置、プリンタなどの印刷装置の高速化・高機能化・カラー化によって、専門の知識を有しない一般のユーザが手軽に高品位な印刷物を作成する事が出来るようになってきた。
【０００３】
しかしながら、見栄えのよい優れたポスターやチラシ、プレゼン資料などを作成するには、ユーザに対してデザインや色彩上の知識やセンスが要求される。
【０００４】
例えば、旅行案内のポスターを作成する場合、
１．旅行の主題（見出し）を決める。
２．旅行の行程や日程を決める。
３．旅行の主題に合った写真を決める。
４．上記素材（主題、日程、写真など）の配置を決める。
５．素材の大きさ、色、陰影、バランスを決める。
と高度で複雑な工程を経る必要がある。
【０００５】
この問題を解決するための１つの手段として、ユーザが上記１〜３の素材を指定した後に、情報処理装置が一定のルールに従って素材を配置し、複数のレイアウト案をユーザに提示する事で、上記４〜５を簡略化しようとする技術が提案されている。
【０００６】
例えば、特許文献１では、あらかじめ記憶手段内に用意された配置フォーマットを、素材（要素）の属性と数に応じて選択して選択する事で、素材を自動的にレイアウトする技術が公開されている。
【特許文献１】特許第０２５４２９６５号公報
【発明の開示】
【発明が解決しようとする課題】
【０００７】
しかしながら、上記従来例は、情報処理装置が提示するレイアウト案が必ずしもユーザが望むものではなかったり、余りに提案の数が多すぎてユーザが選びづらい状況が発生したりしていた。例えば、ポスターやチラシでは紙面の左上や右下などに社名やロゴを入れたり、プレゼン資料では紙面の右下に「ＣＯＮＦＩＤＥＮＴＩＡＬ」などの文字を入れたりする事がよくある。この場合、これらの文字やロゴなどの素材は固定位置に配置したいし、また他の自由配置される素材は固定位置の素材を阻害しないように配置する事が望まれるが、従来技術では全てを自動配置しまうため、実現できなかった。
【０００８】
本発明は、上記従来技術の問題点に鑑みてなされたものであり、その目的は、素材を自動配置してレイアウトサンプルを提示するシステムでありながら、素材の一部を使用者の希望する固定位置に配置することができ、しかも固定位置に配置する素材と自動配置される素材とが干渉しないように、好ましいレイアウトサンプルのみを使用者に提示する事により、特殊な知識を有しない一般的なユーザが簡単に高品位なデザインの印刷物を得られるように、使い勝手の良いレイアウト自動生成装置を提供する事にある。
【課題を解決するための手段】
【０００９】
上記の目的を達成するため、本発明の第一の発明による編集装置は、以下のような構成を備える。
【００１０】
すなわち、レイアウトを生成するための編集装置であって、レイアウト対象の素材を格納する第一の記憶手段と、前記レイアウト対象の素材を自動配置するのか、固定位置に配置するのかの属性情報を格納する第二の記憶手段と、レイアウトを生成するための規則であるデザインルールを格納した第三の記憶手段と、前記属性情報および前記デザインルールをもとに、前記レイアウト対象の素材の配置を決定するレイアウト生成手段とを備える事を特徴とする。
【００１１】
上記手段を備える事により、レイアウト対象となる各素材が「自動配置するのか」「固定位置に配置するのか」の属性情報を有するため、例えば社名ロゴなど素材を紙面の固定位置に置きたい要望に応えながらも、デザインルールを適用してレイアウトを自動生成する事が可能になる。
【００１２】
また本発明の第二の発明による編集装置は、以下のような構成を備える。
【００１３】
すなわち、第一の発明の手段に加えて、前記属性情報を指定するための指定手段を有する事を特徴とする。
【００１４】
上記手段を備える事により、前記レイアウト対象の素材に対して使用者が１つ１つ前記属性情報を指定する事が可能になるため、例えば、主題だけやロゴだけを固定位置に配置するように編集装置に指示する事ができる。
【００１５】
また本発明の第三の発明による編集装置は、以下のような構成を備える。
【００１６】
すなわち、第一の発明の手段に加えて、前記属性情報は、前記レイアウト対象の素材を自動配置するのか、固定位置に配置するのかの他に、前記レイアウト対象の素材の種別、レイヤ情報、文字・図形・写真の区別、位置、大きさ、色、文字フォントのいずれか１つ、または複数の情報を含む事を特徴とする。
【００１７】
上記手段を備える事により、自動配置または固定位置に配置という情報だけなく、例えば文字と写真とが重なっていたら文字を上に配置する、例えば同系色の素材が重なっていたら配置を変えるなどの判断を加える事が可能になり、より好ましいサンプルレイアウトを使用者に提示する事ができる。
【発明の効果】
【００１８】
以上の説明から明らかなように、使用者が自動配置する素材と固定位置に配置する素材とを組み合わせてサンプルレイアウトを生成する事が可能になる。また作成可能な複数のサンプルレイアウトのうち、使用者にとって好ましいサンプルレイアウトを提示する事により、特別なデザイン知識を有しない一般の使用者が容易に優れたレイアウトを得られる編集装置を実現する事ができる。
【発明を実施するための最良の形態】
【００１９】
（実施例）
図１は、本発明の特徴をもっともよく表す図面であり、本発明を施した情報処理装置と印刷装置からなるシステムの構成を示したブロック図である。
【００２０】
同図において、１０１はマウスやキーボードなどユーザの入力手段、１０２は作成するレイアウトの素材の種類と、その素材の属性情報（大きさ、色、フォントなど）を指定するための指定手段である。１０３は素材・属性の指定手段１０２の情報とレイアウトを生成するためのルールからレイアウトを生成するためのレイアウト生成手段、１０４は複数のレイアウトルールを格納したレイアウトルールＤＢである。レイアウト生成手段で作られた複数のレイアウトはレイアウト表示装置１０５に表示され、ユーザがレイアウトを確認する事ができる。ユーザが気に入って選んだレイアウトが印刷手段１０６によって印刷される。
【００２１】
図２は、素材・属性の指定手段１０２に相当するユーザインターフェースの一例である。同図において、２０１は「主題」を表示するかどうか、その有効・無効を選ぶためのチェックボックスである。「主題」を表示する場合にはこれをチェック状態にする。２０２は「主題」として文字を表示するのか、画像を表示するのか、その種別を選択するためのラジオボタンである。２０３はラジオボタン２０２で文字を指定された場合に、「主題」として表示する文字を入力するためのテキストボックスである。２０４は文字の属性（大きさ、色、フォント種類など）を指定するダイアログを表示するためのボタンである。２０５は「主題」を自動的に配置するか、固定位置に配置するかを切り替えるコンボボックスである。また同図において、２１２から２１５は「副題」、を２２１から２２５は「背景」を指定するためのものである。２２３は「背景」として使用する画像ファイルを指定するためのテキストボックスである。また２２４は画像ファイルを指定するためのファイル一覧リストを表示するボタンである。その他は２０１から２０５とまったく同一であるため、説明は省略する。さらに同図において、２３１から２３６は「ロゴ」を指定するためのものである。「ロゴ」とは、例えば会社や団体のマークを指すものである。２３６は「ロゴ」を固定位置に配置する場合の位置を指定するためのコンボボックスである。ここでは「左上に配置」「右下に配置」など一定のパターンで選択肢を表示しているが、もちろんＸ／Ｙ座標などで絶対位置／相対位置を指定する事も可能である事は言うまでもない。その他は２０１から２０５とまったく同一であるため、説明は省略する。
【００２２】
図３を使って、「主題」「副題」「背景」の３つの素材が自動配置される仕組みを説明する。例えば、図３のレイアウトルール１とレイアウトルール２がレイアウトルールＤＢ１０４に格納されているものとする。素材・属性の指定手段１０２によって、「主題」が『秋の社内旅行』、「副題」が『１０月１０日〜１１日』『伊豆修善寺温泉』、「背景」が『富士山．ｊｐｇ』と指定されていた場合、レイアウト生成手段１０３によって、レイアウトルール１を元にサンプルレイアウト１がレイアウト案として表示される。またレイアウトルール２を元にサンプルレイアウト２がまた別のレイアウト案として表示される。ユーザは自分の気に入ったサンプルレイアウトを選んで印刷することができる。
【００２３】
次に図４を使って、「主題」「副題」「背景」の３つの素材が自動配置され、さらに「ロゴ」が固定位置（左上）に配置される例を説明する。今回は「ロゴ」が左上に固定的に配置されている。このため、レイアウトルール３を使用すると「ロゴ」と「主題」とが重なってしまい、サンプルレイアウト３は適当ではない画像になっている。一方、レイアウトルール４を使用すれば、サンプルレイアウト４のように「ロゴ」と他の素材とが重なることはなく、好ましい画像を得ることができる。本特許によれば、レイアウト生成手段１０３は、図６のフロー図に示すような論理により、ユーザにとって好ましいサンプルレイアウトのみを提示する。図６において、まずステップ６１で、レイアウトルールＤＢ１０４から１つのレイアウトルールを取り出す。ステップ６２で、このレイアウトルールに、素材・属性指定手段１０２で指定された条件を適用する。サンプルレイアウト３は素材の重なりがあるため、ステップ６３で排除される。一方、サンプルレイアウト４は素材の重なりがないため、ステップ６４でユーザに好ましいサンプルレイアウトとして提示する。レイアウトルールＤＢ内に格納されたレイアウトルールの数だけ同じ処理を繰り返すことによって、好ましいサンプルレイアウトのみをユーザに提示することができる。
【００２４】
次に図５を使って、「主題」「副題」「背景」の３つの素材が自動配置され、さらに「ロゴ」が固定位置（右下）に配置される例を説明する。今回は「ロゴ」が右下に固定的に配置されている。このため、レイアウトルール５を使用すると「ロゴ」と「副題」とが重なってしまい、サンプルレイアウト５は適当ではない画像になっている。本特許によれば、レイアウト生成手段１０３は、図７のフロー図に示すような論理により、素材の重なりを解消する。図７において、まずステップ７１で、レイアウトルールＤＢ１０４から１つのレイアウトルールを取り出す。ステップ７２で、このレイアウトルールに、素材・属性指定手段１０２で指定された条件を適用する。サンプルレイアウト５は素材の重なりがあるため、ステップ７４に進み、重なった素材のうち自動配置である「副題」を上方に移動する事で重なりを解消する。レイアウトルールＤＢ内に格納されたレイアウトルールの数だけ同じ処理を繰り返すことによって、好ましいサンプルレイアウトを使用者に提示することができる。
【図面の簡単な説明】
【００２５】
【図１】本発明の構成要素を示したブロック図。
【図２】素材とその属性を指定するためのユーザインターフェース。
【図３】「主題」「副題」「背景」を指定した際のレイアウトルールとサンプルレイアウト。
【図４】「主題」「副題」「背景」を指定し、さらに「ロゴ」を上部に固定配置した際のレイアウトルールとサンプルレイアウト。
【図５】「主題」「副題」「背景」を指定し、さらに「ロゴ」を下部に固定配置した際のレイアウトルールとサンプルレイアウト。
【図６】素材同士が重なる場合に、不適当なレイアウトを排除する場合のフロー図。
【図７】素材同士が重なる場合に、素材を重ならないように再配置する場合のフロー図。
【符号の説明】
【００２６】
１０１  入力手段
１０２  素材・属性指定手段
１０３  レイアウト生成手段
１０４  レイアウトルールＤＢ
１０５  レイアウト表示手段
１０６  印刷手段
２０１  『主題』の有効無効を指定するチェックボックス
２０２  『主題』の素材の種別を指定するラジオボタン
２０３  『主題』の文字を入力するテキストボックス
２０４  『主題』の文字属性を指定するダイアログを開くためのボタン
２０５  『主題』の自動配置／固定配置を切り替えるコンボボックス
２１１  『副題』の有効無効を指定するチェックボックス
２１２  『副題』の素材の種別を指定するラジオボタン
２１３  『副題』の文字を入力するテキストボックス
２１４  『副題』の文字属性を指定するダイアログを開くためのボタン
２１５  『副題』の自動配置／固定配置を切り替えるコンボボックス
２２１  『背景』の有効無効を指定するチェックボックス
２２２  『背景』の素材の種別を指定するラジオボタン
２２３  『背景』の文字を入力するテキストボックス
２２４  『背景』の文字属性を指定するダイアログを開くためのボタン
２２５  『背景』の自動配置／固定配置を切り替えるコンボボックス
２３１  『ロゴ』の有効無効を指定するチェックボックス
２３２  『ロゴ』の素材の種別を指定するラジオボタン
２３３  『ロゴ』の文字を入力するテキストボックス
２３４  『ロゴ』の文字属性を指定するダイアログを開くためのボタン
２３５  『ロゴ』の自動配置／固定配置を切り替えるコンボボックス
２３６  『ロゴ』の固定配置の際の位置を指定するコンボボックス
【図１】
2008147851.tif 000003
【図２】
2008147851.tif 000004
【図３】
2008147851.tif 000005
【図４】
2008147851.tif 000006
【図５】
2008147851.tif 000007
【図６】
2008147851.tif 000008
【図７】
2008147851.tif 000009